(57)【要約】【課題】電極ユニットを複数備える構成としても、電池容量に寄与しない無駄なスペースを無くし、エネルギー密度を大きくすることができる蓄電装置を提供すること。【解決手段】電極組立体１２において、負極電極２０は、負極活物質層２６を負極金属箔２５の両面に長手方向に離間して一対備えるとともに、離間した負極活物質層２６に挟まれた負極露出部２５ａを備え、負極活物質層２６が対向する状態に負極露出部２５ａで折り曲げられている。電極組立体１２は、負極電極２０の対向する負極活物質層２６の間に、ユニット内正極電極１９１をセパレータ２１を介して挟んだ電極ユニット５０を複数備えるとともに、複数の電極ユニット５０同士の間に、セパレータ２１を介したユニット間正極電極１９２を挟んで積層されて形成されている。【選択図】図５
2014232647.tif 000002
【特許請求の範囲】
【請求項１】
第１の集電体の両面に、第１の活物質領域を有する第１の電極と、
第２の集電体の両面に、前記第１の活物質領域と異極の第２の活物質領域を有する第２の電極と、
前記第１の電極と第２の電極の間に介在するセパレータとを積層して形成された電極組立体をケース内に有する蓄電装置であって、
前記第１の電極は、前記第１の活物質領域を前記第１の集電体の一方向に離間して一対備えるとともに、離間した前記第１の活物質領域に挟まれた前記第１の集電体の露出部を備え、離間した前記第１の活物質領域が対向する状態に前記露出部で折り曲げられており、
前記電極組立体は、前記第１の電極の対向する前記第１の活物質領域の間に前記セパレータを介して前記第２の電極を挟んだ電極ユニットを複数備えるとともに、
複数の前記電極ユニットが、前記セパレータを介した前記第２の電極を挟んで積層されて形成されていることを特徴とする蓄電装置。
【請求項２】
前記第１の電極は、第１の活物質領域としての負極活物質層を有する負極電極であるとともに、前記第２の電極は、第２の活物質領域としての正極活物質層を有する正極電極であり、前記セパレータは、互いに対峙する第１のセパレータ及び第２のセパレータを備えるとともに前記正極電極を収納する収納部を有し、前記収納部よりも前記第１のセパレータ及び前記第２のセパレータの端縁側で前記第１のセパレータと前記第２のセパレータとを接合する接合部を有しており、
前記電極ユニット間に挟まれた正極電極は、前記セパレータの前記接合部のうち底側接合部を介して前記ケースの内底面に支持されるとともに、前記正極電極は、前記正極活物質層の正極端縁が前記底側接合部に支持されており、
前記電極ユニットにおいて外面側の前記負極活物質層での前記内底面側の端縁を負極端縁とすると、前記内底面に直交する高さ方向に沿った前記底側接合部の長さは、前記高さ方向に沿った前記内底面から前記負極端縁までの長さ以上に設定されている請求項１に記載の蓄電装置。
【請求項３】
前記電極ユニット内で前記負極活物質層に挟まれた前記正極電極は、前記露出部及び前記セパレータを介して前記ケースの内底面に支持されるとともに、前記セパレータは前記接合部のうち前記露出部に支持される露出部側接合部を有し、
前記高さ方向に沿った前記露出部側接合部と露出部の厚みとを合わせた長さは、前記高さ方向に沿った前記内底面から前記負極端縁までの長さ以上に設定されている請求項２に記載の蓄電装置。
【請求項４】
前記蓄電装置は二次電池である請求項１〜請求項３のうちいずれか一項に記載の蓄電装置。
【発明の詳細な説明】
【技術分野】
【０００１】
本発明は、第１の電極と第２の電極をセパレータを介して積層して形成された電極組立体をケース内に有する蓄電装置に関する。
【背景技術】
【０００２】
従来から、ＥＶ（Electric Vehicle）やＰＨＶ（Plug-in Hybrid Vehicle）などの車両に搭載される蓄電装置としては、リチウムイオン二次電池や、ニッケル水素二次電池などがよく知られている。これらの蓄電装置は、金属箔（集電体）の表面に活物質層（活物質領域）を有する正極及び負極の電極を、間にセパレータを介在させた状態で積層して形成された電極組立体を備えている（例えば、特許文献１）。
【０００３】
図６に示すように、特許文献１の電池において、正極８０は、アルミニウム製の正極集電体８１の片面に正極合剤８２を有し、正極８０は、正極合剤８２が対向するように２つ折りに折り畳まれている。正極８０において、折り畳まれた部分には正極合剤８２が設けられていない。負極８３は、銅製の負極集電体８４の両面に負極合剤８５を有する。負極８３は、セパレータ８６によって包囲されるとともに、折り畳まれた正極８０に挟持され、正極８０と負極８３がユニット化されている。セパレータ８６は、折り畳まれた正極集電体８１の表面に沿って配置されている。そして、負極８３の負極集電体８４は、セパレータ８６を介して正極８０の正極合剤８２に対向配置されるとともに、ユニットが複数積層されて電極組立体が形成される。
【先行技術文献】
【特許文献】
【０００４】
【特許文献１】特開平１１−１２１０１６号公報
【発明の概要】
【発明が解決しようとする課題】
【０００５】
ところで、特許文献１の電池は、電極組立体の積層方向に隣り合うユニット同士が、正極集電体８１同士で対向してしまっている。正極集電体８１同士が対向した部位は、電池容量に寄与しておらず、正極集電体８１同士が対向した部位は無駄なスペースとなってしまっている。
【０００６】
本発明は、電極ユニットを複数備える構成としても、電池容量に寄与しない無駄なスペースを無くし、エネルギー密度を大きくすることができる蓄電装置を提供することにある。
【課題を解決するための手段】
【０００７】
上記問題点を解決するために、請求項１に記載の蓄電装置は、第１の集電体の両面に、第１の活物質領域を有する第１の電極と、第２の集電体の両面に、前記第１の活物質領域と異極の第２の活物質領域を有する第２の電極と、前記第１の電極と第２の電極の間に介在するセパレータとを積層して形成された電極組立体をケース内に有する蓄電装置であって、前記第１の電極は、前記第１の活物質領域を前記第１の集電体の一方向に離間して一対備えるとともに、離間した前記第１の活物質領域に挟まれた前記第１の集電体の露出部を備え、離間した前記第１の活物質領域が対向する状態に前記露出部で折り曲げられており、前記電極組立体は、前記第１の電極の対向する前記第１の活物質領域の間に前記セパレータを介して前記第２の電極を挟んだ電極ユニットを複数備えるとともに、複数の前記電極ユニットが、前記セパレータを介した前記第２の電極を挟んで積層されて形成されていることを要旨とする。
【０００８】
これによれば、第１の電極は露出部で折り曲げているため、第１の活物質領域が折り曲げられることはなく、電池容量に寄与しない無駄な活物質領域を無くすことができる。また、第１の活物質領域を第１の集電体の両面に有する。このため、電極ユニットにおいて、折り曲げられた第１の電極の内面側では、第１の活物質領域と第２の活物質領域が対向している。また、電極組立体において、電極ユニット同士の間に第２の電極が挟まれているため、第１の電極の両外面側の第１の活物質領域は、第２の活物質領域が対向している。このため、電極組立体を、複数の電極ユニットを積層して構成しても、金属箔同士が対向する部位が生じず、電池容量に寄与しない部位が生じない。このため、電極ユニットを複数備える構成としても、電池容量に寄与しない無駄なスペースを無くし、エネルギー密度を大きくすることができる。
【０００９】
また、蓄電装置について、前記第１の電極は、第１の活物質領域としての負極活物質層を有する負極電極であるとともに、前記第２の電極は、第２の活物質領域としての正極活物質層を有する正極電極であり、前記セパレータは、互いに対峙する第１のセパレータ及び第２のセパレータを備えるとともに前記正極電極を収納する収納部を有し、前記収納部よりも前記第１のセパレータ及び前記第２のセパレータの端縁側で前記第１のセパレータと前記第２のセパレータとを接合する接合部を有しており、前記電極ユニット間に挟まれた正極電極は、前記セパレータの前記接合部のうち底側接合部を介して前記ケースの内底面に支持されるとともに、前記正極電極は、前記正極活物質層の正極端縁が前記底側接合部に支持されており、前記電極ユニットにおいて外面側の前記負極活物質層での前記内底面側の端縁を負極端縁とすると、前記内底面に直交する高さ方向に沿った前記底側接合部の長さは、前記高さ方向に沿った前記内底面から前記負極端縁までの長さ以上に設定されている。
【００１０】
これによれば、電極ユニット間に挟まれた正極電極において、正極活物質層は、底側接合部の長さだけ内底面から離れた位置に配置される。そして、この底側接合部の長さを所定長さに設定することで、電極ユニット間に挟まれた正極電極の正極活物質層を、負極端縁からはみ出さずに負極活物質層に対向させることができる。
【００１１】
また、蓄電装置について、前記電極ユニット内で前記負極活物質層に挟まれた前記正極電極は、前記露出部及び前記セパレータを介して前記ケースの内底面に支持されるとともに、前記セパレータは前記接合部のうち前記露出部に支持される露出部側接合部を有し、前記高さ方向に沿った前記露出部側接合部と露出部の厚みとを合わせた長さは、前記高さ方向に沿った前記内底面から前記負極端縁までの長さ以上に設定されている。
【００１２】
これによれば、電極ユニット内に挟まれた正極電極において、正極活物質層は、露出部側接合部及び露出部の厚みを合わせた長さだけ内底面から離れた位置に配置される。そして、この露出部側接合部と露出部の厚みを合わせた長さを所定長さに設定することで、正極活物質層を負極端縁からはみ出さずに負極活物質層に対向させることができる。
【００１３】
また、蓄電装置は二次電池である。
【発明の効果】
【００１４】
本発明によれば、電極ユニットを複数備える構成としても、電池容量に寄与しない無駄なスペースを無くし、エネルギー密度を大きくすることができる。
【図面の簡単な説明】
【００１５】
【図１】二次電池を示す分解斜視図。
【図２】電極組立体を構成する正極電極と負極電極、及び電極ユニットを示す斜視図。
【図３】二次電池の外観を示す斜視図。
【図４】（ａ）は電極ユニットを示す断面図、（ｂ）はユニット内正極電極を示す正面図、（ｃ）はユニット間正極電極を示す正面図。
【図５】ケースに収容した電極組立体の一部を示す断面図。
【図６】背景技術を示す図。
【発明を実施するための形態】
【００１６】
以下、蓄電装置を二次電池に具体化した一実施形態を図１〜図５にしたがって説明する。
図１及び図３に示すように、蓄電装置として二次電池１０は、ケース１１に電極組立体１２が収容されている。ケース１１は、有底四角筒状のケース本体１３と、当該ケース本体１３に電極組立体１２を挿入する挿入口１４を閉塞する矩形平板状の蓋部材１５とからなる。ケース本体１３は、矩形平板状の底壁Ｔと、その底壁Ｔの四辺を囲むように立設された側壁Ｓを有し、ケース本体１３の内面には底壁Ｔ及び側壁Ｓを覆う樹脂層Ｇが設けられている。なお、ケース１１の内底面Ｔａは底壁Ｔを覆う樹脂層Ｇを含んでいる。ケース１１を構成するケース本体１３と蓋部材１５は、何れも金属製（例えば、ステンレスやアルミニウム）である。また、本実施形態の二次電池１０は、その外観が角型をなす角型電池であり、リチウムイオン電池である。
【００１７】
電極組立体１２には、電極端子としての正極端子１６と負極端子１７が電気的に接続される。正極端子１６及び負極端子１７には、ケース１１から絶縁するためのリング状の絶縁リング１８がそれぞれ取り付けられている。
【００１８】
図２に示すように、電極組立体１２は、第１の電極としてのシート状の負極電極２０と、第２の電極としてのシート状の正極電極１９と、正極電極１９と負極電極２０の間を絶縁するシート状のセパレータ２１と、を有する。
【００１９】
正極電極１９は、それぞれ矩形シート状の第２の集電体としての正極金属箔（本実施形態ではアルミニウム箔）２２を有するとともに、その両面に第２の活物質領域としての正極活物質層２３を有する。また、正極電極１９は、正極活物質層２３が設けられず、正極金属箔２２の露出した正極露出部２２ａを正極電極１９の一辺に有し、この正極露出部２２ａの一部から突出するように設けられた正極集電タブ２４を有する。正極集電タブ２４は、電極組立体１２を構成する正極電極１９において同一形状とされ、同位置に設けられている。そして、正極集電タブ２４は、正極端子１６と電気的に接続される。
【００２０】
負極電極２０は、矩形シート状の第１の集電体としての負極金属箔（本実施形態では銅箔）２５を有するとともに、その負極金属箔２５の両面に第１の活物質領域としての負極活物質層２６を有する。負極活物質層２６は、負極金属箔２５の両面に、負極金属箔２５の長手方向（一方向）に離間して一対ずつ設けられている。また、負極電極２０は、負極金属箔２５の両面において長手方向（一方向）に離間した負極活物質層２６の間に、負極金属箔２５の露出した負極露出部２５ａを有するとともに、負極金属箔２５の長手方向の両端部にも負極露出部２５ａを有する。負極電極２０は、負極金属箔２５の長手方向の両端側の負極露出部２５ａの一部に、負極金属箔２５からなる負極集電タブ２７を突出するように備える。負極集電タブ２７は、電極組立体１２を構成する各負極電極２０において同一形状とされ、同一位置に設けられている。
【００２１】
負極電極２０は、長手方向中央に位置する負極露出部２５ａから２つ折りに折り畳まれ、負極電極２０の内面側及び外面側それぞれに負極活物質層２６を有し、内面側では負極活物質層２６同士が対向するとともに、長手方向両端の負極集電タブ２７同士も対向している。
【００２２】
正極電極１９は正極集電タブ２４を除いた部分が矩形状であり、負極電極２０は負極集電タブ２７を除いた部分が矩形状である。しかし、負極活物質層２６の隣り合う２辺の各辺の長さ（長手方向の長さ及び短手方向の長さ）は、正極活物質層２３の隣り合う２辺の各辺の長さ（長手方向の長さ及び短手方向の長さ）よりも長く設定されている。つまり、負極活物質層２６は、正極活物質層２３の全面を覆うことが可能な大きさに設定されている。
【００２３】
正極電極１９は、袋状のセパレータ２１に包まれている。セパレータ２１は、互いに対峙し、正極電極１９の両面を覆う大きさで、かつ同一の大きさからなる第１のセパレータ２１ａと第２のセパレータ２１ｂを有するとともに、正極電極１９の収納部２１ｃを有する。第１及び第２のセパレータ２１ａ，２１ｂは、重ねた状態において、正極電極１９の各端縁からはみ出すはみ出し部３０を備える。そして、正極電極１９を挟む第１及び第２のセパレータ２１ａ，２１ｂは、収納部２１ｃよりも第１及び第２のセパレータ２１ａ，２１ｂの端縁側で各はみ出し部３０同士を溶着して形成される接合部３１を備える。
【００２４】
図１及び図４（ａ）に示すように、２つ折りに折り畳まれた負極電極２０の内側には、セパレータ２１で包まれた正極電極１９が配設され、負極電極２０と正極電極１９とで１つの電極ユニット５０が形成されている。そして、電極組立体１２は、電極ユニット５０同士の間にセパレータ２１で包まれた正極電極１９を挟み、電極ユニット５０と正極電極１９を交互に積層して形成されている。
【００２５】
図５に示すように、電極組立体１２において、電極ユニット５０は、その負極電極２０の負極露出部２５ａがケース１１の内底面Ｔａに支持されている。また、電極ユニット５０同士の間に挟まれた正極電極１９は、セパレータ２１の接合部３１を介してケース１１の内底面Ｔａに支持されている。
【００２６】
ここで、各正極電極１９の正極活物質層２３において、ケース１１の底壁Ｔ側の端縁を正極端縁２３ａとし、各負極電極２０の負極活物質層２６において、ケース１１の底壁Ｔ側の端縁を負極端縁２６ａとする。また、ケース１１の内底面Ｔａに直交する方向を高さ方向とする。この場合、ケース１１の内底面Ｔａから正極端縁２３ａまでの高さ方向に沿った長さＮ１と、内底面Ｔａから負極端縁２６ａまでの高さ方向に沿った長さＮ２とでは、長さＮ１の方が長さＮ２より長くなっている。よって、ケース１１の底壁Ｔ側において、正極活物質層２３は、負極活物質層２６の面に沿う方向では、負極活物質層２６よりも内側に配置されている。
【００２７】
また、電極ユニット５０内で負極活物質層２６に挟まれた正極電極１９をユニット内正極電極１９１とし、電極ユニット５０同士の間に挟まれた正極電極１９をユニット間正極電極１９２とする。ユニット内正極電極１９１は、電極ユニット５０内では、折り曲げられた負極露出部２５ａを介してケース１１の内底面Ｔａに間接的に支持されている。
【００２８】
図４（ｂ）に示すように、ユニット内正極電極１９１を包むセパレータ２１において、正極電極１９を囲む四辺の接合部３１のうち、ケース１１の底壁Ｔ側に配置され、負極露出部２５ａに支持される一辺の接合部３１を露出部側接合部３２とする。そして、ユニット内正極電極１９１は、正極活物質層２３の正極端縁２３ａが露出部側接合部３２に支持され、セパレータ２１内に位置決めされている。
【００２９】
一方、ユニット間正極電極１９２は、ケース１１の内底面Ｔａに直接支持されている。そして、図４（ｃ）に示すように、ユニット間正極電極１９２を包むセパレータ２１において、ユニット間正極電極１９２を囲む四辺の接合部３１のうち、ケース１１の底壁Ｔ側に配置され、ケース１１の内底面Ｔａに直接支持される一辺の接合部３１を底側接合部３３とする。ユニット間正極電極１９２は、正極活物質層２３の正極端縁２３ａが底側接合部３３に支持され、セパレータ２１内に位置決めされている。
【００３０】
ここで、図５に示すように、露出部側接合部３２において、負極露出部２５ａの内面に支持された端縁を露出側端縁３２ａとするとともに、底側接合部３３において、ケース１１の内底面Ｔａに支持された端縁を底側端縁３３ａとする。
【００３１】
この場合、露出部側接合部３２において、露出側端縁３２ａから正極活物質層２３の正極端縁２３ａまでの高さ方向に沿った接合部長さＬ１と、底側接合部３３において、底側端縁３３ａから正極活物質層２３の正極端縁２３ａまでの接合部長さＬ２とでは、接合部長さＬ１の方が短くなっている。よって、高さ方向において、露出部側接合部３２の方が、底側接合部３３よりも短くなっており、接合部長さＬ１は、接合部長さＬ２よりも負極露出部２５ａの厚みＷ分だけ短くなっている。露出部側接合部３２と底側接合部３３では、露出部側接合部３２の方が、接合されたはみ出し部３０の面積が小さくなっている。
【００３２】
したがって、底側接合部３３の接合部長さＬ２は、内底面Ｔａから負極端縁２６ａまでの長さＮ２よりも長くなっている。また、露出部側接合部３２の接合部長さＬ１は、内底面Ｔａから負極端縁２６ａまでの接合部長さＬ１よりも長くなっている。そして、露出部側接合部３２の接合部長さＬ１と、負極露出部２５ａの厚みＷとを合わせた長さは、底側接合部３３の接合部長さＬ２と同じであり、かつ内底面Ｔａから負極端縁２６ａまでの長さＮ２よりも長くなっている。
【００３３】
よって、ユニット内正極電極１９１が負極露出部２５ａに支持され、ユニット間正極電極１９２が内底面Ｔａに支持された状態において、正極端縁２３ａが同一直線上に配置されるとともに、正極端縁２３ａが負極端縁２６ａよりも内側に配置されている。
【００３４】
上記構成の電極組立体１２においては、各電極ユニット５０の内面側の負極活物質層２６それぞれには、ユニット内正極電極１９１の正極活物質層２３の全面が対向しているとともに、外面側の負極活物質層２６それぞれには、電極ユニット５０に隣り合う各ユニット間正極電極１９２の正極活物質層２３の全面が対向している。したがって、全ての正極活物質層２３が、全面に亘って負極活物質層２６に対向しており、負極活物質層２６は正極活物質層２３の全面を覆っている。
【００３５】
次に、二次電池１０の作用を記載する。
電極組立体１２の積層方向において、各負極活物質層２６にはそれぞれ正極活物質層２３が対向しており、電極ユニット５０を複数用いた電極組立体１２であっても、正極金属箔２２同士又は負極金属箔２５同士が対向する部位が無い。
【００３６】
上記実施形態によれば、以下のような効果を得ることができる。
（１）電極組立体１２は、負極電極２０を２つ折りに折り畳み、その内側にユニット内正極電極１９１を挟んだ電極ユニット５０と、その電極ユニット５０同士の間に挟んだユニット間正極電極１９２とを積層して形成されている。このため、電極ユニット５０の内面側の負極活物質層２６には、ユニット内正極電極１９１の正極活物質層２３が対向し、電極ユニット５０の外面側の負極活物質層２６には、ユニット間正極電極１９２の正極活物質層２３が対向している。このため、電極組立体１２には、金属箔同士が対向する部位が生じず、電極組立体１２には電池容量に寄与しない部位が生じない。このため、電極組立体１２を、電極ユニット５０を複数備える構成としても、電池容量に寄与しない無駄なスペースを無くし、エネルギー密度を大きくすることができる。
【００３７】
（２）電極ユニット５０は、負極露出部２５ａで折り曲げて２つ折りに折り畳まれている。このため、電池容量に寄与しない折り曲げ部には負極活物質層２６は存在せず、活物質の無駄がない。
【００３８】
（３）ユニット間正極電極１９２は、そのセパレータ２１の底側接合部３３を介してケース１１の内底面Ｔａに支持されている。底側接合部３３の接合部長さＬ２は、ケース１１の内底面Ｔａから負極活物質層２６の負極端縁２６ａまでの長さＮ２より長く設定されている。リチウムイオン電池にてデンドライト析出を防止するためには、負極活物質層２６を正極活物質層２３より大きく設定し、正極活物質層２３の外周縁より外側に負極活物質層２６が存在するように配置することが好ましい。このとき、負極活物質層２６と正極活物質層２３との位置決め精度が重要となるが、ユニット間正極電極１９２は、底側接合部３３によって支持された状態で、負極活物質層２６の負極端縁２６ａよりも面に沿う方向で内側に位置している。よって、正極活物質層２３が負極活物質層２６からはみ出ず、正極活物質層２３と負極活物質層２６を確実に対向させることができる。
【００３９】
（４）ユニット内正極電極１９１は、そのセパレータ２１の露出部側接合部３２を介して、負極電極２０における負極露出部２５ａに支持されている。露出部側接合部３２の接合部長さＬ１と、負極露出部２５ａの厚みＷとを合わせた長さは、内底面Ｔａから負極端縁２６ａまでの長さＮ２よりも長くなっている。このため、ユニット内正極電極１９１は、露出部側接合部３２によって支持された状態で、負極活物質層２６の負極端縁２６ａよりも面に沿う方向で内側に位置しており、正極活物質層２３が負極活物質層２６からはみ出ず、正極活物質層２３と負極活物質層２６を確実に対向させることができる。
【００４０】
（５）露出部側接合部３２の接合部長さＬ１と、底側接合部３３の接合部長さＬ２の長さを異ならせ、所定長さに設定した。これにより、ユニット内正極電極１９１が負極露出部２５ａに間接的に支持され、ユニット間正極電極１９２がケース１１の内底面Ｔａに直接支持されていても、底壁Ｔ側で、負極活物質層２６の面に沿う方向において、正極活物質層２３がはみ出すことが防止できる。
【００４１】
（６）露出部側接合部３２の接合部長さＬ１と、底側接合部３３の接合部長さＬ２は、セパレータ２１を製造する際に、はみ出し部３０の長さ及び接合面積を調節することで所定長さに設定することができる。したがって、セパレータ２１の製造時に、接合部長さＬ１と接合部長さＬ２を設定することで、正極活物質層２３と負極活物質層２６との対向領域を可能な限り大きくして、電池容量を可能な限り増やすことが可能になる。
【００４２】
なお、上記実施形態は以下のように変更してもよい。
○  ユニット内正極電極１９１を包むセパレータ２１において、露出部側接合部３２の接合部長さＬ１は、適宜変更してもよい。例えば、露出部側接合部３２の接合部長さＬ１と、負極露出部２５ａの厚みＷを合わせた長さを、内底面Ｔａから負極端縁２６ａまでの長さＮ２と同じにしてもよいし、短くしてもよい。
【００４３】
○  ユニット間正極電極１９２を包むセパレータ２１において、底側接合部３３の接合部長さＬ２は、適宜変更してもよい。例えば、底側接合部３３の接合部長さＬ２を、内底面Ｔａから負極端縁２６ａまでの長さＮ２と同じにしてもよいし、短くしてもよい。
【００４４】
○  ユニット内正極電極１９１の正極活物質層２３は、露出部側接合部３２によって位置決めされず、電極組立体１２の積層方向への拘束力によって、正極端縁２３ａが負極端縁２６ａより内側に位置するように位置決めされていてもよい。
【００４５】
○  ユニット間正極電極１９２の正極活物質層２３は、底側接合部３３によって位置決めされず、電極組立体１２の積層方向への拘束力によって、正極端縁２３ａが負極端縁２６ａより内側に位置するように位置決めされ  ていてもよい。
【００４６】
○  電極ユニット５０について、電極組立体１２の積層方向の側端に位置し、側壁Ｓと対向する電極ユニット５０においては、側壁Ｓと対向する面の負極活物質層２６を省略してもよい。
【００４７】
○  第１の電極は正極電極１９であり、第２の電極は負極電極２０であってもよい。
○  セパレータ２１は、第１及び第２のセパレータ２１ａ，２１ｂの四辺を接合したタイプではなく、正極集電タブ２４側の一辺は接合せず、残りの三辺を接合したタイプとしてもよい。又は、正極集電タブ２４側の一辺及び当該一辺に繋がる二辺は接合せず、底壁Ｔ側のみ接合したタイプとしてもよい。
【００４８】
○  第１の活物質領域は、負極活物質層２６のように層状でなくもよく、第１の集電体としてのメッシュ状の集電体に活物質を担持させたものでもよい。同様に、第２の活物質領域は、正極活物質層２３のように層状でなくもよく、第２の集電体としてのメッシュ状の集電体に活物質を担持させたものでもよい。
【００４９】
○  二次電池１０はリチウムイオン二次電池であったが、これに限らず、ニッケル水素等の他の二次電池であってもよい。
○  蓄電装置は、二次電池１０に限らず、例えば、電気二重層キャパシタやリチウムイオンキャパシタ等のようなキャパシタであってもよい。
【００５０】
次に、上記実施形態及び別例から把握できる技術的思想について以下に追記する。
（イ）前記第１の活物質領域の隣り合う２辺の各辺の長さは、前記第２の活物質領域の隣り合う２辺の各辺の長さよりも長く設定されている蓄電装置。
【符号の説明】
【００５１】
Ｎ１，Ｎ２…長さ、Ｔａ…内底面、Ｗ…厚み、１０…蓄電装置としての二次電池、１１…ケース、１２…電極組立体、１９…第２の電極としての正極電極、２０…第１の電極としての負極電極、２１…セパレータ、２１ａ…第１のセパレータ、２１ｂ…第２のセパレータ、２１ｃ…収納部、２２…第２の集電体としての正極金属箔、２３…第２の活物質領域としての正極活物質層、２３ａ…正極端縁、２５…第１の集電体としての負極金属箔、２５ａ…負極露出部、２６…第１の活物質領域としての負極活物質層、２６ａ…負極端縁、３１…接合部、３２…露出部側接合部、３３…底側接合部、５０…電極ユニット。
【図１】
2014232647.tif 000003
【図２】
2014232647.tif 000004
【図３】
2014232647.tif 000005
【図４】
2014232647.tif 000006
【図５】
2014232647.tif 000007
【図６】
2014232647.tif 000008